(57)【要約】【課題】電池収納部への電池のスムースな挿入を可能にしつつ、電子機器の小型化及びデザイン自由度の向上を図る仕組みを提供する。【解決手段】電子機器は、電池４が挿抜可能に収納される電池収納部３と、電池収納部３に収納された電池４の挿入方向と反対側の端部を係止する係止位置と、前記係止を解除する解除位置との間で回動可能に支持されるロック部材５と、ロック部材５を前記係止位置に向けて付勢する付勢部材１５と、を備える。ロック部材５の回動軸１３は、電池収納部３に収納される電池４から離れる方向に移動可能に支持される。【選択図】図８
2015018166.tif 000002
【特許請求の範囲】
【請求項１】
電池が挿抜可能に収納される電池収納部と、
前記電池収納部に収納された前記電池の挿入方向と反対側の端部を係止する係止位置と、前記係止を解除する解除位置との間で回動可能に支持されるロック部材と、
前記ロック部材を前記係止位置に向けて付勢する付勢部材と、を備え、
前記ロック部材の回動軸は、前記電池収納部に収納される前記電池から離れる方向に移動可能に支持されることを特徴とする電子機器。
【請求項２】
前記ロック部材の先端部には、前記電池収納部に前記電池を挿入する際に前記電池が当接して挿入方向に押し込まれる傾斜面が形成され、前記傾斜面の法線方向は、前記回動軸が前記電池から離れる方向と略同一方向であることを特徴とする請求項１に記載の電子機器。
【請求項３】
前記電池収納部の前記電池が挿抜される挿抜口の開口縁のうち、前記電池を間に挟んで前記ロック部材の先端部と対向する部分には、前記電池を前記電池収納部の内部に案内する案内溝が形成されることを特徴とする請求項１又は２に記載の電子機器。
【発明の詳細な説明】
【技術分野】
【０００１】
本発明は、電池収納部を有する例えばデジタルカメラ等の電子機器に関する。
【背景技術】
【０００２】
デジタルカメラ等の電子機器では、電池収納部に挿抜可能に収納された電池が挿入方向と反対方向に移動するのを防止するロック機構を有するものが有る。
【０００３】
例えば、図１４に示すように、電池収納部１０１に収納される電池１０２の挿入方向と反対側の端部を係止する係止位置と、前記係止を解除する解除位置との間で回動可能に支持されるロック部材１０３を有するものが提案されている（特許文献１）。
【０００４】
この提案では、ロック部材１０３は、駆動部材１０６とのカム作用により回動軸１０４を中心に回動可能とされ、また、付勢部材１０５により駆動部材１０６を介して前記係止位置に向けて付勢されている。したがって、電池収納部１０１の電池挿抜口１０１ａから電池１０２を挿入する際には、図１５に示すように、ロック部材１０３を付勢部材１０５の付勢力に抗して前記解除位置の方向に回動させて、電池収納部１０１の電池挿抜口１０１ａから退避させる。
【先行技術文献】
【特許文献】
【０００５】
【特許文献１】特開２０１０−１８６６３３号公報
【発明の概要】
【発明が解決しようとする課題】
【０００６】
しかし、上記特許文献１では、電池収納部１０１に電池１０２を挿入する際には、ロック部材１０３を付勢部材１０５の付勢力に抗して前記解除位置の方向に回動させる必要があるため、電池１０２の挿入作業が面倒である。
【０００７】
また、電池１０２は、近年の電子機器の小型化に伴い薄型化され、電池セルに直接ラベル１０２ａを巻きつけている為、図１６に示すように、ラベル１０２ａと電池１０２の底部１０２ｂとの間に溝部１０２ｃが発生する。このため、電池収納部１０１に電池１０２を挿入する際に、溝部１０２ｃにロック部材１０３の先端が引っ掛かってユーザが再度ロック部材１０３を前記解除位置の方向に回動させる必要が生じ、電池１０２のスムースな挿入を妨げることになる。
【０００８】
更に、ロック部材１０３が係止位置（図１４の位置）にあるときに、誤って電池１０２を電池収納部１０１に挿入する可能性もあることから、ロック部材１０３の変形等を防止すべく、ロック部材１０３の先端部１０３ａの肉厚Ｔを比較的厚くする必要がある。このため、機器の小型化を妨げるとともに、電池収納部１０１の電池挿抜口１０１ａを開閉可能に覆う電池蓋ひいては機器のデザイン自由度を低下させることにもなる。
【０００９】
そこで、本発明は、電池収納部への電池のスムースな挿入を可能にしつつ、電子機器の小型化及びデザイン自由度の向上を図る仕組みを提供することを目的とする。
【課題を解決するための手段】
【００１０】
上記目的を達成するために、本発明の電子機器は、電池が挿抜可能に収納される電池収納部と、前記電池収納部に収納された前記電池の挿入方向と反対側の端部を係止する係止位置と、前記係止を解除する解除位置との間で回動可能に支持されるロック部材と、前記ロック部材を前記係止位置に向けて付勢する付勢部材と、を備え、前記ロック部材の回動軸は、前記電池収納部に収納される前記電池から離れる方向に移動可能に支持されることを特徴とする。
【発明の効果】
【００１１】
本発明によれば、電池収納部への電池のスムースな挿入を可能にしつつ、電子機器の小型化及びデザイン自由度の向上を図ることができる。
【図面の簡単な説明】
【００１２】
【図１】（ａ）は本発明の電子機器の第１の実施形態であるデジタルカメラの斜視図、（ｂ）は（ａ）に示すデジタルカメラの電池蓋を取り外した状態を底面側から見た斜視図である。
【図２】デジタルカメラの電池収納部を含む部分の分解斜視図である。
【図３】電池収納部とロック部材との関係を示す分解斜視図である。
【図４】電池収納部にロック部材を組み込んだ状態を示す図である。
【図５】電池収納部に収納された電池がロック部材で係止されている状態を示す要部断面図である。
【図６】電池収納部から電池を取り出している状態を示す要部断面図である。
【図７】電池収納部から電池を取り出した後の状態を示す要部断面図である。
【図８】電池収納部に電池を挿入する際の状態を示す要部断面図である。
【図９】ロック部材が退避した状態でのロック部材の回動規制部を説明するための要部断面図である。
【図１０】電池収納部に電池を挿入する途中の状態を示す要部断面図である。
【図１１】デジタルカメラに内蔵された電池収納部に電池が収納された状態の要部断面図である。
【図１２】本発明の電子機器の第２の実施形態であるデジタルカメラにおいて、電池収納部に電池を挿入する際の状態を示す要部断面図である。
【図１３】図１２の部分拡大図である。
【図１４】従来のデジタルカメラにおける電池収納部とロック部材との関係を示す要部断面図である。
【図１５】電池収納部に電池を挿入している状態を示す要部断面図である。
【図１６】電池のラベルとの底部との間に発生した溝部にロック部材の先端部が引っ掛かった状態を示す要部断面図である。
【発明を実施するための形態】
【００１３】
以下、本発明の実施形態を図面を参照して説明する。
【００１４】
（第１の実施形態）
図１（ａ）は本発明の電子機器の第１の実施形態であるデジタルカメラの斜視図、図１（ｂ）は図１（ａ）に示すデジタルカメラの電池蓋を取り外した状態を底面側から見た斜視図である。
【００１５】
図１（ａ）及び図１（ｂ）に示すように、デジタルカメラ１の底面には、電池４が挿抜可能に収納される電池収納部３の挿抜口３ａを開閉可能に覆う電池蓋２が取り付けられている。電池蓋２は、図１（ａ）に示すように、デジタルカメラ１の底面に取り付けられた状態においては、デジタルカメラ１の底面外装の一部を形成する。また、図１（ｂ）に示すように、電池収納部３に収納された電池４は、挿入方向と反対側の端部がロック部材５により係止される。
【００１６】
図２は、デジタルカメラ１の電池収納部３を含む部分の分解斜視図である。図２に示すように、電池収納部３の底部には、電池収納部３ａに収納された電池４を挿入方向と反対方向に付勢する付勢バネ６が設けられる。電気基板７には、電池収納部３を向く側に記録媒体収納部８が実装されている。メインシャーシ９は、不図示の外装カバー、ストロボ発光部ユニット、撮像ユニットや電池収納部３、三脚座１０を取り付けるための部品であり、ビス締結の為のバーリング部９ａを有する。
【００１７】
そして、ビス１１がバーリング部９ａに締結され、ビス１２が三脚座１０のビス座１０ａに締結されることで、メインシャーシ９と電気基板７とが電池収納部３を狭持するように固定される。電池蓋２には、軸２ａが設けられ、軸２ａは、電池収納部３の穴３ｂに係合する。
【００１８】
図３は、電池収納部３とロック部材５との関係を示す分解斜視図である。図４は、電池収納部３にロック部材５を組み込んだ状態を示す図である。図３に示すように、電池収納部３には、駆動部材１４を電池４の挿抜方向に移動可能に案内するするガイド部３ｃ，３ｄが形成されている。駆動部材１４は、摺動性が高い高分子材料（例えばＰＯＭ）で形成され、図３に示すように、電池４の挿入方向の反対側の端部には、ロック部材５のカム面５ｂに係合するカム部１４ｃが設けられる。また、駆動部材１４には、ガイド部３ｃ，３ｄに沿って電池４の挿抜方向に移動可能に案内される一対の軸１４ａ，１４ｂが設けられる。
【００１９】
ロック部材５には、回動軸１３が貫通する孔５ａが形成され、孔５ａを貫通した回動軸１３の両端は、それぞれ電池収納部３に形成された長孔３ｇ，３ｈに支持される。これにより、ロック部材５は、電池収納部３に対して、電池収納部３に収納される電池４の挿入方向と反対側の端部を係止する係止位置（図５参照）と、前記係止を解除する解除位置（図６参照）との間で回動可能に支持される。
【００２０】
電池収納部３に形成された長孔３ｇ，３ｈは、その長手方向を電池４の挿入方向に対して斜めに交差する方向に向けて配置されている。また、付勢部材１５は、本実施形態では、圧縮コイルばねで構成され、駆動部材１４に外挿されて、当該駆動部材１４を介してロック部材５を前記係止位置に向けて付勢する。
【００２１】
図５は、電池収納部３に収納された電池４がロック部材５で係止されている状態を示す要部断面図である。図６は電池収納部３から電池４を取り出している状態を示す要部断面図、図７は電池収納部３から電池４を取り出した後の状態を示す要部断面図である。
【００２２】
図５の状態では、ロック部材５は、付勢部材１５の付勢力により図の矢印方向（時計回り方向）に回動して、先端部５ｃが電池収納部３に収納された電池４の挿入方向と反対側の端部を係止する。このとき、ロック部材５の回動軸１３は、電池収納部３に形成された長孔３ｇ，３ｈの長手方向の一方の端部、具体的には、電池４に近い方向の端部に当接する。
【００２３】
図５の状態から、図６に示すように、指等によりロック部材５を付勢部材１５の付勢力に抗して図の矢印方向（反時計回り方向）に回動させると、ロック部材５の先端部５ｃによる電池４の係止が解除される。また、ロック部材５のカム面５ｂにより駆動部材１４のカム部１４ｃが押し込まれて駆動部材１４がガイド部３ｃ，３ｄに沿って電池４の挿入方向に移動する。ロック部材５の先端部５ｃによる電池４の係止が解除されると、電池４は、付勢バネ６の付勢力により、電池４の挿入方向と反対方向に移動して、電池収納部３の挿抜口３ａから突出し、電池収納部３から取り出し可能となる。
【００２４】
電池収納部３から電池を取り出した後、ロック部材５から指等を離すと、図７に示すように、ロック部材５は、付勢部材１５の付勢力により、図５と同方向に回動して、元の位置に復帰する。このとき、ロック部材５の基端部に設けた突起５ｄが電池収納部３の係止部３ｊに当接してロック部材５のそれ以上の回動が規制される。
【００２５】
図８は、電池収納部３に電池４を挿入する際の状態を示す要部断面図である。図８に示すように、ロック部材５は、電池収納部３から電池４を取り出した後は、図の二点鎖線の位置に配置されている。そして、挿抜口３ａから電池収納部３に電池４を挿入する際に、電池４の先端部がロック部材５の先端部５ｃに形成された傾斜面５ｅに当接して傾斜面５ｅを付勢部材１５の付勢力に抗して押し込む。このとき、ロック部材５は、回動軸１３が長孔３ｈ，３ｇに沿って長孔３ｈ，３ｇの他方の端部に移動して、図の実線の位置、即ち、電池４から離れた位置に配置される。これにより、電池収納部３への電池４のスムースな挿入が可能となる。
【００２６】
ここで、本実施形態では、電池４の挿入方向と長孔３ｈ，３ｇの長手方向とのなす角度αは、略４５°とされている。この角度αは、電池４を電池収納部３ａに挿入する際、ロック部材５の先端部５ｃが電池４の挿入を妨げない位置までロック部材５が退避可能な角度とされている。
【００２７】
なお、本実施形態では、電池４の挿入方向と長孔３ｈ，３ｇの長手方向とのなす角度αは、電池４の挿入を妨げない位置までロック部材５を退避させることができれば、特に限定されず、また、長孔に代えて円弧状の孔としてもよい。
【００２８】
ロック部材５の先端部５ｃに形成された傾斜面５ｅは、電池４を挿入する際に電池４を電池収納部３の内部へ案内する形状とされ、傾斜面５ｅの略法線方向へロック部材５が退避するように電池４の挿入方向に対する長孔３ｈ，３ｇの角度を設定する。即ち、本実施形態では、傾斜面５ｅの法線方向と長孔３ｈ，３ｇの長手方向とが略同一方向とされている。これにより、ロック部材５の傾斜面５ｅが電池４から受ける力をロック部材５の退避する力にすることができ、電池４の挿入をよりスムースに行うことが可能になる。
【００２９】
また、電池４の挿入を更にスムースにするために、電池４を間に挟んでロック部材５の先端部５ｃに対向する電池収納部３の挿抜口３ａの開口縁に電池４を電池収納部３の内部に案内する案内溝３ｋを設けてもよい。これにより、電池４を挿入する際に、電池４がロック部材５の傾斜面５ｅに当接する位置をロック部材５の先端部５ｃ側（図の左側）へ近づけて、電池４の挿入に必要なロック部材５の退避量を少なくすることができ、結果的に電池４の挿入がより容易となる。
【００３０】
図９は、ロック部材５が退避した状態でのロック部材５の回動規制部を説明するための要部断面図である。ロック部材５が退避した状態では、ロック部材５の突起５ｄと電池収納部３の係止部３ｊとの当接が解除されて、付勢部材１５の付勢力によるロック部材５の時計回り方向への回動規制がなくなる。このため、本実施形態では、ロック部材５が退避した状態で、電池収納部３に形成した係止面３ｐにロック部材５の基端部に形成した傾斜面５ｆを当接させることで、付勢部材１５の付勢力によるロック部材５の時計回り方向への回動を規制する。
【００３１】
図１０は、電池収納部３に電池４を挿入する途中の状態を示す要部断面図である。図１０に示すように、電池収納部３に電池４を挿入する途中においては、ロック部材５の先端部５ｃが、電池４のラベル４ａと底部４ｂとの間の溝部４ｃへ引っ掛かる。ここで、本実施形態では、図１０の状態で、電池４を更に挿入方向（図示の上側）へ押し込むことで、ロック部材５が長孔３ｈ，３ｇに沿って電池４から離れる方向に退避して、ロック部材５の先端部５ｃが溝部４ｃから容易に離脱する。
【００３２】
図１１は、デジタルカメラ１に内蔵された電池収納部３に電池４が収納された状態での要部断面図である。本実施形態では、電池収納部３に電池４を挿入する際に、ロック部材５の先端部５ｃに電池４が当接して電池４からの外力を受けても、ロック部材５が電池４から離れる方向に移動する。このため、ロック部材５の先端部５ｃの変形や破損等の可能性が低減して、必要以上の強度が不要となり、先端部５ｃの肉厚を比較的薄肉とすることが可能となる。これにより、デジタルカメラ１の小型化を実現するとともに、電池収納部３の挿抜口３ａを開閉可能に覆う電池蓋２ひいてはデジタルカメラ１のデザイン自由度が向上する。
【００３３】
以上説明したように、本実施形態では、電池収納部３への電池４のスムースな挿入を可能にしつつ、デジタルカメラ１の小型化及びデザイン自由度の向上を図ることができる。
【００３４】
（第２の実施形態）
次に、図１２及び図１３を参照して、本発明の電子機器の第２の実施形態であるデジタルカメラについて説明する。なお、上記第１の実施形態に対して重複又は相当する部分については、符号を流用しつつ相違点についてのみ説明する。
【００３５】
図１２は電池収納部３に電池４を挿入する際の状態を示す要部断面図、図１３は図１２の部分拡大図である。
【００３６】
本実施形態では、図１２及び図１３に示すように、ロック部材５が電池４から退避した状態において、ロック部材５の傾斜面５ｆが当接してロック部材５の時計回り方向への回動を規制する電池収納部３の係止面３ｐが寸法Ｓだけ突出して形成されている。これにより、ロック部材５を電池４から退避させる際に、ロック部材５を上記第１の実施形態に比べて角度β分、更に図の反時計回り方向に回動させることができる。この結果、電池４とロック部材５の先端部５ｃとの隙間Ｃが拡大して、電池４のよりスムースな挿入が可能となる。
【００３７】
また、電池収納部３の係止面３ｐの突出寸法Ｓに対応して、ロック部材５の回動軸１３を案内する長孔３ｈ，３ｇの一部に幅広部Ｈを形成して、長孔３ｈ，３ｇにおける回動軸１３のスムースな移動を確保している。その他の構成、及び作用効果は、上記第１の実施形態と同様である。
【００３８】
なお、本発明の構成は、上記各実施形態に例示したものに限定されるものではなく、材質、形状、寸法、形態、数、配置箇所等は、本発明の要旨を逸脱しない範囲において適宜変更可能である。
【００３９】
例えば、上記各実施形態では、電子機器としてデジタルカメラを例示したが、携帯電話機やＰＤＡ、電子辞書等の電子機器であってもよい。
【符号の説明】
【００４０】
１  デジタルカメラ
３  電池収納部
３ｈ，３ｇ  長孔
３ｋ  凹部
４  電池
５  ロック部材
５ｅ  傾斜面
１３  回動軸
１４  駆動部材
１５  付勢部材
【図１】
2015018166.tif 000003
【図２】
2015018166.tif 000004
【図３】
2015018166.tif 000005
【図４】
2015018166.tif 000006
【図５】
2015018166.tif 000007
【図６】
2015018166.tif 000008
【図７】
2015018166.tif 000009
【図８】
2015018166.tif 000010
【図９】
2015018166.tif 000011
【図１０】
2015018166.tif 000012
【図１１】
2015018166.tif 000013
【図１２】
2015018166.tif 000014
【図１３】
2015018166.tif 000015
【図１４】
2015018166.tif 000016
【図１５】
2015018166.tif 000017
【図１６】
2015018166.tif 000018